(57)【要約】【課題】電子部品用容器に具備されたカバーの四隅部によってベースのキャスターレーションが覆われないようにして、カバーの上方からＸ線画像処理検査装置により、より正確にキャスターレーションの半田付部の画像検査ができるようにする。【解決手段】側面に平面視凹状のキャスターレーション５を形成したベース２の上面をカバー３で気密封止した電子部品用容器において、前記カバー３の外形寸法を前記ベース２の外形寸法よりも小さく構成し、前記キャスターレーション５の凹状の半径寸法ｒよりも大きな半径寸法Ｒをもつ切欠部を前記カバー３に形成する。【選択図】図１
2015128277.tif 000002
【特許請求の範囲】
【請求項１】
側面に平面視凹状のキャスターレーションを形成したベースの上面をカバーで気密封止した電子部品用容器において、前記カバーの外形寸法を前記ベースの外形寸法よりも小さく構成し、前記キャスターレーションの凹状の半径寸法よりも大きな半径寸法をもつ切欠部を前記カバーに形成したことを特徴とする電子部品用容器。
【請求項２】
前記切欠部が、平面視で四等分円形状であって、前記カバーの四隅部に形成されている請求項１に記載の電子部品用容器。
【請求項３】
前記切欠部が、平面視Ｃ面形状であって、前記カバーの四隅部に形成されている請求項１に記載の電子部品用容器。
【請求項４】
前記切欠部が、平面視で四等分円形状であって、前記カバーの長辺または短辺の側面に形成されている請求項１に記載の電子部品用容器
【請求項５】
前記切欠部が、平面視で矩形であって、前記カバーの四隅部に形成されている請求項１に記載の電子部品用容器。
【請求項６】
前記切欠部が、平面視で八角形を４等分した形状であって、前記カバーの四隅部に形成されている請求項１に記載の電子部品用容器。
【請求項７】
前記切欠部が、平面視で六角形を２等分した形状であって、前記カバーの長辺または短辺の側面に形成されている請求項１に記載の電子部品用容器。
【請求項８】
前記切欠部が、平面視で長円を２等分した形状であって、前記カバーの長辺または短辺の側面に形成されている請求項１に記載の電子部品用容器。
【請求項９】
前記切欠部が、平面視で長い八角形を２等分した形状であて、前記カバーの長辺または短辺の側面に形成されている請求項１に記載の電子部品用容器。
【請求項１０】
前記電子部品が、水晶振動子である請求項１に記載の電子部品用容器。
【請求項１１】
前記電子部品が、水晶発振器である請求項１に記載の電子部品用容器。
【請求項１２】
請求項１から９に記載の電子部品用容器を具備した電子部品。
【発明の詳細な説明】
【技術分野】
【０００１】
本発明は、電子部品、例えば、水晶振動子、のガラス封止用パッケージの気密封止カバーを備えた容器及び電子部品に関する。
【背景技術】
【０００２】
電子部品、例えば、従来の水晶振動子のガラス封止用パッケージ１は、パッケージ１の斜視図である図７と図８に示すように、セラミック基板からなるベース２の四隅部に、ベース２の裏面に設けた端面電極と水晶振動子の内部電極を電気的に接続する配線を配置するための平面視凹形状のキャスターレーション（切欠部）５が設けられていた。他方、ベース２の主面に形成された水晶片等を搭載するキャビテイ（空間部）の開口部を覆ってガラス封止されるカバー３は、その四隅部がベース２に形成したキャスターレーション５を上から覆わないように丸みを付したＲ形状となっている。
【０００３】
そして、パッケージ１にカバー３を位置合わせして溶融ガラスによりガラス封止するために、図９（ａ）に示すような専用の治具１０を用い、定盤１０ｃに載置した治具１０に形成したカバー３の外形寸法より僅かに大きい外形寸法の凹所１０ａにまずカバー３を載置し、このカバー３の上面に鉛を含有する粉末成形体からなる低融点ガラス１０ｄを載置し、ベース２をキャビテイを下向きにして治具１０に形成したベース２の外形寸法より僅かに大きい外形寸法の凹所１０ｂに載置し、約３２０℃に加熱して、図９（ａ）のＡ矢視部の部分拡大図である図９（ｂ）に示すように、カバー３の下面とベース２の上面との間に低融点ガラス１０ｄを介在させて接合させ、かつ、カバー３の側面とベース２の上面の交差部にフィレットｆを形成して、カバー３をベース２の開口面にガラス封止してベース２の気密封止をしている。
【先行技術文献】
【特許文献】
【０００４】
【特許文献１】特開２００８−２７１０９３号公報
【特許文献２】特開２０１２−１６９９６１号公報
【特許文献３】特開２００３−１３３４５４号公報
【発明の概要】
【発明が解決しようとする課題】
【０００５】
しかしながら、このような治具１０を用いてベース２に対するカバー３の位置合わせによっても、治具１０に形成した凹所１０ａ，１０ｂとカバー３、ベース２の外形寸法との間の僅かな隙間により、両者間に、平面視で、上下、左右または斜め方向の位置ずれが生じ、本来、図１０に示すように規定位置にカバー３が載置されガラス封止されるものが、図１１に示すように、カバー３の四隅部に形成したＲ部がキャスターレーション５の部分にはみだしてしまうことがあった。
【０００６】
近年、電子部品、例えば、水晶振動子が益々小型化、低背化するに伴い、セット基板へ水晶振動子を実装した後、その半田付け状態の検査を、例えば、Ｘ線画像検査装置を使用した自動検査により多く行われるようになってきている。
【０００７】
しかしながら、このようなＸ線画像検査装置による半田付け状態の自動検査は、一般に、実装した水晶振動子の上方からＸ線を照射して行うが、画像検査をする際、ベースに対するカバーの位置ずれが生じていると、キャスターレーション部分に半田付時に這い上がった欠陥となる半田をＸ線画像検査装置により視認できず、そのため、正確な半田付部の画像検査ができないという問題点があった。
【課題を解決するための手段】
【０００８】
上記した課題を解決するため、本発明の電子部品用容器は、側面に平面視凹状のキャスターレーションを形成したベースの上面をカバーで気密封止した電子部品用容器において、前記カバーの外形寸法を前記ベースの外形寸法よりも小さく構成し、前記キャスターレーションの凹状の半径寸法よりも大きな半径寸法をもつ切欠部を前記カバーに形成したことを特徴とする。
【０００９】
また、本発明の電子部品用容器には、前記切欠部が、平面視で四等分円形状であって、前記カバーの四隅部に形成されていることを特徴とする。
【００１０】
さらに、本発明の電子部品用容器には、前記切欠部が、平面視Ｃ面形状であって、前記カバーの四隅部に形成されていることを特徴とする。
【００１１】
またさらに、本発明の電子部品用容器には、前記切欠部が、平面視で四等分円形状であって、前記カバーの長辺または短辺の側面に形成されていることを特徴とする。
【００１２】
本発明の電子部品用容器には、前記切欠部が、平面視で矩形であって、前記カバーの四隅部に形成されていることを特徴とする。
【００１３】
本発明の電子部品用容器には、前記切欠部が、平面視で八角形を４等分した形状であって、前記カバーの四隅部に形成されていることを特徴とする。
【００１４】
本発明の電子部品用容器には、前記切欠部が、平面視で六角形を２等分した形状であって、前記カバーの長辺または短辺の側面に形成されていることを特徴とする。
【００１５】
本発明の電子部品用容器には、前記切欠部が、平面視で長円を２等分した形状であって、前記カバーの長辺または短辺の側面に形成されていることを特徴とする。
【００１６】
本発明の電子部品用容器には、前記切欠部が、平面視で長い八角形を２等分した形状であって、前記カバーの長辺または短辺の側面に形成されていることを特徴とする。
【００１７】
本発明では  前記電子部品が、水晶振動子である。
【００１８】
また、本発明では、前記電子部品が、水晶発振器である。
【発明の効果】
【００１９】
本発明の電子部品用容器によれば、ベースに対してカバーの位置が、平面視で、上下、左右または斜め方向にずれて封止されていても、べ−スに形成したキャスターレーションの半径寸法よりもカバーに形成された切欠部の外形寸法が大きく形成されているので、封止後、カバーの四隅部によってキャスターレーションが覆われないので、カバーの上方からＸ線画像検査装置により正確に半田付部の画像検査ができるようになる。
【図面の簡単な説明】
【００２０】
【図１】本発明の電子部品用容器が適用される水晶振動子を示し、図１（ａ）は、その正面図を、また、図１（ｂ）は、その平面図を示す。
【図２】図１に示した水晶振動子の四隅にキャスターレーションを形成したベースと、四隅部にキャスターレーションの半径寸法より大きな半径寸法をもつ平面視凹状の切欠き部を形成したカバーと、が、平面視で下方向かつ右方向に位置ずれを生じた状態の平面図である。
【図３】図１に示した水晶振動子のベースと、四隅部にキャスターレーション半径寸法よりも大きな半径方向寸法をもつＣ面を形成したカバーと、が、平面視で下方向かつ右方向に位置ずれを生じた状態の平面図である。
【図４】図１（ｂ）に示すＩ−Ｉ矢視方向断面図である。
【図５】ベースの長辺側面にキャスターレーションを形成したベースに対応してカバーに形成した切欠部の半径寸法をキャスターレーションの半径寸法より大きく形成した本発明の電子部品用容器の実施例を示す部分平面図である。
【図６】水晶振動子のベースに形成するキャスターレーションの他の実施例の形状とそれらの形成方法を示す部分平面図である。
【図７】従来の水晶振動子をカバーの上方向から見た斜視図である。
【図８】図７に示した水晶振動子をベースの底面方向から見た斜視図である。
【図９】従来から使用されているベースにカバーを位置合わせしてガラス封止する治具の断面図である。
【図１０】従来の水晶振動子のカバーとベースとが位置ずれを生じていない状態の平面図である。
【図１１】図１０に示したカバーがベースの下方向と右方向に位置ずれを生じ、カバーの四隅部がキャスターレーションを覆っている状態の平面図である。
【発明を実施するための形態】
【００２１】
以下、本発明の電子部品用容器の実施例を添付した図面に基づいて説明する。
【００２２】
図１に示すように、電子部品、例えば、圧電デバイスの一種である水晶振動子１は、セラミック基板２ａ，２ｂから構成されるセラミックベース２と、その上面に載置され鉛を含む融点が約３２０℃の低融点ガラスのフィレットｆで気密封止されたセラミック基板からなり、かつ、外形寸法がセラミックベース２の外形寸法より小さいカバー３とからなり、ベース２に形成されたキャビテイ（空間部）７の内底面に水晶振動片８が、導電性接着剤９により接合保持されている。ここで、本発明における容器（パッケージ）は、セラミックベース２とカバー３とを合体したものをいう。
【００２３】
ここで、ベース２の外形寸法よりカバー３の外形寸法が小さく形成されているので、カバー３の側面部とベース２の上面部に跨って低融点ガラスが硬化した際にフィッレトｆが形成されるので、カバー３による封止部分の強度が充分維持されるようになる。
【００２４】
また、セラミックベース２の外底面の四隅部には、端面電極（実装端子）４が形成されている。ここでは、実装端子４の数を４端子としたが、本発明は、２端子、６端子ともつ圧電デバイス、例えば、水晶振動子及び水晶発振器にも適用できる。
【００２５】
そして、セラミックベース２の四隅部には平面視で４等分円形状のキャスターレーション５がそれぞれ形成され、端面電極４と内部電極とを接続する配線が配置されている。
【００２６】
なお、ここで、本実施例では、セラミックベース２に空間部を１個所形成し、水晶片のみを搭載したが、Ｈ型断面のセラミックベースを用い、一方の空間部に水晶片を、また、他方の空間部７にＩＣチップ等を載置する水晶発振器として構成してもよい。
【００２７】
また、本実施例では、カバー３をセラミック基板から構成したが、セラミック基板に代えて、鉄にニッケル、コバルトを配合したコバール（Ｋｏｖａｒ）を用い、封止に銀ろう（Ａｇ＋Ｃｕ），金錫（Ａｕ＋Ｓｎ）等を用いてもよい。
【００２８】
本発明の実施例では、図２の平面図に示すように、ベース２の外形寸法よりも小さい外形寸法のカバー３の四隅部にベース２の四隅部に形成したキャスターレーション５の平面視で４等分円の半径ｒと同じ寸法以上の半径Ｒをもつ切欠部６ａを形成する。これにより、封止時にベース２に対してカバー３の位置が、平面視で、上下、左右または斜め方向にずれたとしても、キャスターレーション５の半径寸法よりも切欠部６ａの半径Ｒが大きく形成されているので、カバー３の四隅部に形成したＲ部（丸み部）がはみ出し、キャスターレーション５を覆ってしまう恐れがなくなるようになる。
【００２９】
また、本発明の他の実施例では、図３に示すように、カバー３の四隅部にキャスターレーション５の半径ｒよりも該四隅部の頂点からの寸法が大きい寸法で、４５°の角度でカットしたＣ面（チャンファー）６ｂを形成する。これにより、例え、封止時に、カバー３の位置がベース２に対して、平面視で、上下、左右または斜め方向にずれたとしても、カバー３がキャスターレーション５を覆ってしまうことがない。
【００３０】
ここでは、上記いずれの実施例においても、図４に示すように、空間部７を内部にもつベース２の上面に切欠部６をもつカバー３が、低融点ガラス１０ｄとフィレットｆにより堅固に保持固定され、ベース２のセラミック基板２ｂ の下面とセラミック基板２ａの上面との間に、キャスターレーション５を介して、端面電極４と内部電極を電気的に接続する配線４ａが形成されるようになる。
【００３１】
さらに、本発明の他の実施例として、図５に示すように、ベース２の四隅部ではなく、ベース２の長辺または短辺の側面にキャスターレーション５が形成されている水晶振動子であっても、キャスターレーション５の半径ｒよりも大きい半径Ｒをもつ切欠部６ｃを半径ｒと同心に、または、鎖線で示すよう半径中心を変位させて形成して、上記と同一の目的を達することができる。とくに、切欠部６ｃの半径を鎖線で示すように、半径中心を変位させて形成すると、半田付部の視認が極めて容易になる。
【００３２】
また、従来のように、カバー３の四隅部にＲ部を形成し、カバー３の外形寸法をベース２に形成したキャビテイ７の内側寸法より大きく形成し、封止時にカバー３のＲ部がキャスターレーション５を覆い隠さないように構成してもよい。
【００３３】
さらに、本発明のさらなる他の実施例として、図６に示すように、ベース２に形成するキャスターレーション５の変形例を挙げることができる。
【００３４】
すなわち、図６（ａ）に拡大して示すように、ベース２の四隅部に矩形状のキャスターレーション５ａを、図６（ｂ）に示すように、ベース２の四隅部に八角形を４等分した形状のキャスターレーション５ｂを、図６（ｃ）に示すように、ベース２の短辺または長辺に六角形を２等分した形状のキャスターレーション５ｃを、図６（ｄ）に示すように、ベース２の短辺または長辺に長円を２等分した形状のキャスターレーション５ｄを、また、図６（ｅ）に示すように、ベース２の短辺または長辺に長い八角形を２等分した形状のキャスターレーション５eを形成してもよい。
【００３５】
ここで、これらの異なった平面視形状のキャスターレーション５ａ〜５ｅを適用するカバー３に形成する切欠部６の外形寸法と形状は、それぞれのキャスターレーション５の外形寸法と形状に合わせて、それと同一寸法・形状以上とすることが、必要である。
【００３６】
すなわち、図６（ａ）に示したキャスターレーション５ａに対しては、切欠部６が、平面視で矩形であって、カバー３の四隅部に形成されており、図６（ｂ）に示したキャスターレーション５ｂに対しては、切欠部６が、平面視で八角形を４等分した形状であって、カバー３の四隅部に形成されており、図６（ｃ）に示したキャスターレーション５ｃに対しては、切欠部６が、平面視で六角形を２等分した形状であって、カバー３の長辺または短辺の側面に形成されており、図６（ｄ）に示したキャスターレーション５ｄに対しては、切欠部６が、平面視で長円を２等分した形状であって、カバー３の長辺または短辺の側面に形成されおり、また、図６（ｅ）に示したキャスターレーション５ｅに対しては、切欠部６が、平面視で長い八角形を２等分した形状であって、カバー３の長辺または短辺の側面に形成されている。
【００３７】
しかし、封止時にカバー３が、その上面から見てキャスターレーション５を覆い隠さなければ、どのような外形寸法・形状であってもよい。
【００３８】
また、図６の右余白に示すように、それぞれ異なった外形寸法・形状のキャスターレーション５ａ〜５ｅは、複数のベース２の母材となるセラミック・グリーンシートＳのベースの四隅部となる部分あるいはその短辺または長辺となる部分を、それぞれ、矩形、八角、六角、長円または長い八角形状に打ち抜いた後、ダイシングラインｄに沿って、それぞれの個片に分割して形成する。
【００３９】
なお、図１に示したキャスターレーション５が平面視で４等分円形状の場合には、例えば、図６（ａ）に示す矩形を円形に置き換えて打ち抜いた後、ベース２の個片に分割して形成する。
【符号の説明】
【００４０】
１    水晶振動子
２    セラミックベース
２ａ  セラミック基板
２ｂ  セラミック基板
３    カバー
４    端面（実装）端子
５    キャスターレーション
６    カバーの切欠部
７    キャビテイ（空間部）
８    水晶片
９    導電性樹脂剤
【図２】
2015128277.tif 000003
【図３】
2015128277.tif 000004
【図４】
2015128277.tif 000005
【図５】
2015128277.tif 000006
【図１０】
2015128277.tif 000007
【図１１】
2015128277.tif 000008
【図１】
2015128277.tif 000009
【図６】
2015128277.tif 000010
【図７】
2015128277.tif 000011
【図８】
2015128277.tif 000012
【図９】
2015128277.tif 000013